(57)【要約】【課題】接続部に接続された記憶素子の取り外し忘れを回避し得るテレビを提供する。【解決手段】記憶素子（メモリカード等）を接続可能な接続部（メモリカードスロット等）と、記憶素子の接続の有無を検出する検出部と、少なくとも電源オフ操作が可能な操作スイッチを有する操作部と、電源オフ操作が行われたときに電源部を制御して所定の手順に従って電源を遮断させる制御部とを備えて、接続部に接続された記憶素子に記憶されている画像データに基づく画像を表示部１７に表示可能に構成され、制御部は、電源オフ操作時に検出部によって記憶素子の接続が検出されたときに記憶素子が接続されている旨を報知するメッセージＭ１を表示部１７に表示させると共に所定の手順に従って電源を遮断させる。【選択図】図２
2006295427.tif 000002
【特許請求の範囲】
【請求項１】
記憶素子を接続可能な接続部と、前記記憶素子の接続の有無を検出する検出部と、少なくとも電源オフ操作が可能な操作スイッチを有する操作部と、前記電源オフ操作が行われたときに電源部を制御して所定の手順に従って電源を遮断させる制御部とを備えて、前記接続部に接続された当該記憶素子に記憶されている画像データに基づく画像を表示可能に構成され、
前記制御部は、前記電源オフ操作時に前記検出部によって前記記憶素子の接続が検出されたときに当該記憶素子が接続されている旨を報知すると共に前記所定の手順に従って前記電源を遮断させるテレビ。
【請求項２】
前記制御部は、電源スイッチおよびタイマーオフ設定用スイッチのいずれかが操作されたときに前記電源オフ操作が行われたと判別する請求項１記載のテレビ。
【請求項３】
前記制御部は、前記記憶素子が接続されている旨を報知した後に、前記接続部からの前記記憶素子の取り外し、再度の前記電源オフ操作、および規定時間の経過のいずれかが満たされたときに前記所定の手順に従って前記電源を遮断させる請求項１または２記載のテレビ。
【請求項４】
前記制御部は、前記記憶素子が接続されている旨を報知した後に前記検出部によって前記記憶素子の取り外しが検出されたときに、当該接続されている旨の報知を終了する請求項１から３のいずれかに記載のテレビ。
【発明の詳細な説明】
【技術分野】
【０００１】
本発明は、メモリカードなどの記憶素子を接続可能なメモリカードスロット等の接続部を備えたテレビに関するものである。
【背景技術】
【０００２】
デジタルカメラの普及に伴い、デジタルカメラ等によって画像データが記憶させられたメモリカードを装着可能なメモリカードスロットが設けられ、メモリカード内の画像データを表示（または録画）できる映像機器が広く普及している。例えば、特開２０００−３５４２２７号公報には、カードメモリを装着可能なカードスロットが設けられると共にテレビ受像機本体を介してテレビ表示部に接続可能に構成された画像蓄積装置が開示されている。この画像蓄積装置では、デジタルカメラから取り外したカードメモリ（デジタルカメラによって撮像された画像データが記憶されているカードメモリ）をカードスロットに装着することでカードメモリに対するアクセスが許容され、カードメモリに記憶されている画像データを装置内に保存する（蓄積する）保存処理や、画像データに基づく画像をテレビ表示部に表示させる表示処理などが実行可能となる。
【特許文献１】特開２０００−３５４２２７号公報（第５−２４頁、第１−３図）
【発明の開示】
【発明が解決しようとする課題】
【０００３】
ところが、従来の画像蓄積装置には、以下の問題点がある。すなわち、この画像蓄積装置では、デジタルカメラ等から取り外したカードメモリ（メモリカード）をカードスロットに装着することによってメモリカードに記憶されている画像データの保存処理等を実行することが可能となる。この場合、今日のメモリカードが非常に小型のため、カードスロットにメモリカードが装着されているか否かの目視による確認が困難となっている。したがって、画像データの保存処理等が完了したメモリカードを画像蓄積装置のカードスロットに装着したまま画像蓄積装置の電源が遮断されてしまい、デジタルカメラにメモリカードを戻し忘れるおそれがある。この結果、メモリカードが装着されていないデジタルカメラを携帯して、撮影時においてメモリカードが装着されていないことに気付くことがある。
【０００４】
本発明は、かかる問題点に鑑みてなされたものであり、接続部に接続された記憶素子の取り外し忘れを回避し得るテレビを提供することを主目的とする。
【課題を解決するための手段】
【０００５】
上記目的を達成すべく本発明に係るテレビは、記憶素子を接続可能な接続部と、前記記憶素子の接続の有無を検出する検出部と、少なくとも電源オフ操作が可能な操作スイッチを有する操作部と、前記電源オフ操作が行われたときに電源部を制御して所定の手順に従って電源を遮断させる制御部とを備えて、前記接続部に接続された当該記憶素子に記憶されている画像データに基づく画像を表示可能に構成され、前記制御部は、前記電源オフ操作時に前記検出部によって前記記憶素子の接続が検出されたときに当該記憶素子が接続されている旨を報知すると共に前記所定の手順に従って前記電源を遮断させる。
【０００６】
このテレビでは、電源オフ操作時に検出部によって記憶素子の接続が検出されたときに制御部が、記憶素子が接続されている旨を報知すると共に、所定の手順に従って電源を遮断させる。したがって、このテレビによれば、接続部に記憶素子を装着したままであることを忘れた利用者が電源を遮断（または、タイマーオフ動作の設定）しようとしたとしても、記憶素子が装着されたままである旨を確実に認識させることができる。これにより、利用者が記憶素子を接続部から取り外して例えばデジタルカメラに装着することができるため、記憶素子が非装着のデジタルカメラを携帯することで撮影をできないという事態を回避することが可能となる。
【０００７】
また、本発明に係るテレビは、上記のテレビにおいて、電源スイッチおよびタイマーオフ設定用スイッチのいずれかが操作されたときに前記制御部が前記電源オフ操作が行われたと判別する。
【０００８】
このテレビでは、電源スイッチおよびタイマーオフ設定用スイッチのいずれかが操作されたときに制御部が電源オフ操作が行われたと判別する。したがって、このテレビによれば、記憶素子が接続部に装着されたまま電源が遮断される事態を確実に回避することができる。
【０００９】
さらに、本発明に係るテレビは、上記のテレビにおいて、前記記憶素子が接続されている旨を報知した後に、前記制御部は、前記接続部からの前記記憶素子の取り外し、再度の前記電源オフ操作、および規定時間の経過のいずれかが満たされたときに前記所定の手順に従って前記電源を遮断させる。
【００１０】
このテレビでは、記憶素子が接続されている旨を報知した後に、接続部からの記憶素子の取り外し、再度の電源オフ操作、および規定時間の経過のいずれかが満たされたときに所定の手順に従って電源を遮断させる。したがって、このテレビによれば、記憶素子の取り外しによって直ちに電源を遮断させる（または、タイマーオフ動作を開始させる）ことができると共に、報知後に記憶素子が取り外されなかった場合であっても、利用者が接続部に記憶素子を装着したままでの電源遮断を所望しているにも拘わらず電源を遮断することができないという不都合や、利用者によって電源スイッチがオフ操作されたにも拘わらず記憶素子が取り外されないために電源が遮断されずに供給され続けるという不都合が生じるのを回避することができる。
【００１１】
また、本発明に係るテレビは、上記のテレビにおいて、前記記憶素子が接続されている旨を報知した後に前記検出部によって前記記憶素子の取り外しが検出されたときに、前記制御部は、当該接続されている旨の報知を終了する。
【００１２】
このテレビでは、記憶素子が接続されている旨を報知した後に検出部によって記憶素子の取り外しが検出されたときに、接続されている旨の報知を終了する。したがって、このテレビによれば、接続部から記憶素子を取り外したにも拘わらず記憶素子が接続されたままである旨の報知が継続される構成と比較して、例えばタイマーオフ動作時において、待機時間が経過するまでテレビ映像等に報知用のメッセージが重なって表示されてテレビ映像の視聴の妨げになるという事態を回避することができる。
【発明を実施するための最良の形態】
【００１３】
以下、本発明に係るテレビの最良の形態について、添付図面を参照して説明する。図１に示すテレビ１は、テレビ映像等を表示可能に構成されたリアプロジェクション型のテレビであって、メモリカードスロット１１、カード装着検出部１２、画像データ読込み部１３、画像処理部１４、チューナ１５、放送信号処理部１６、表示部１７、スピーカ１８、操作部１９、電源部２０、タイマー２１および制御部２２を備えている。メモリカードスロット１１は、本発明における接続部に相当し、テレビ１の正面パネルに形成された挿入口（図示せず）から挿入されたメモリカード２を装着（接続）可能に構成されている。この場合、メモリカード２は、本発明における記憶素子の一例であって、例えばデジタルカメラ３によって撮像された（生成された）画像データ等を記憶する。なお、本発明における記憶素子はメモリカード２のようなカード型の記憶素子に限定されず、スティック状またはブロック状に形成されて各種電子機器に装着可能に構成された各種の記憶素子がこれに含まれる。カード装着検出部１２は、メモリカードスロット１１にメモリカード２が装着されているか否か（接続の有無）を検出して検出結果を報知する検出信号Ｓ１を制御部２２に出力する。
【００１４】
画像データ読込み部１３は、メモリカード２に記憶されている画像データをメモリカード２から読み込んで画像処理部１４に出力する。画像処理部１４は、画像データ読込み部１３から出力された画像データに対する画像処理を実行して画像データに基づく画像（図示せず）を表示部１７に表示させる。チューナ１５は、指定されたチャンネルの放送信号を図外のアンテナで受信して放送信号処理部１６に出力する。放送信号処理部１６は、一例としてＩＦ回路、音声検波回路、映像検波回路およびＡ／Ｄ変換部（いずれも図示せず）などを備え、チューナ１５から出力された放送信号に基づく表示用信号および音声信号を表示部１７およびスピーカ１８にそれぞれ出力する。表示部１７は、光学エンジンおよびスクリーンパネル等（図示せず）を備え、画像処理部１４、放送信号処理部１６および制御部２２から出力された表示用信号に基づく各種画像やメッセージＭ１，Ｍ２等（図２，４参照）を表示する。具体的には、表示部１７は、出力された表示用信号に基づいて光変調した投射光をスクリーンパネルに背面側から投射することで各種画像やメッセージＭ１，Ｍ２などをスクリーンパネルに表示する。この場合、上記の光学エンジンは、例えば、光源と、光変調素子（一例として、デジタルマイクロミラーデバイスや液晶ライトバルブ）と、投射レンズ（いずれも図示せず）とを備えて構成されている。
【００１５】
スピーカ１８は、アンプおよびスピーカ等（いずれも図示せず）を備えて放送信号処理部１６から出力された音声信号に基づく音声を出力する。操作部１９は、電源スイッチ、チャンネルスイッチ、メニュースイッチ、カーソルキーおよび実行スイッチなどの各種操作スイッチ（操作キー）を備え、これらの操作に対応する操作信号Ｓ２を制御部２２に出力する。また、テレビ１は、操作部１９の各操作スイッチと同様の操作スイッチを有するリモコンを備え（図示せず）、操作部１９に対するスイッチ操作と同様にしてリモコンを操作することでテレビ１の遠隔操作が可能に構成されている。電源部２０は、制御部２２の制御に従ってテレビ１の各部に電源を供給する。タイマー２１は、制御部２２の制御に従って計時（規定時間のカウント）を開始し、規定時間が経過した際にタイマー信号Ｓ３を制御部２２に出力する。制御部２２は、テレビ１を総括的に制御する。また、制御部２２は、テレビ１が作動している状態において操作部１９の電源スイッチが操作されたときに、図３に示す電源オフ処理３０を開始する。さらに、制御部２２は、後述する所定の操作によってタイマーオフ動作（一例として、「３０分、６０分、９０、１２０分」の４種類の候補のうちから選択された時間が経過した時点で電源が遮断される動作）が設定されたときに、図５に示すタイマーオフ処理４０を開始する。
【００１６】
次に、テレビ１の全体的な動作について、図面を参照して説明する。このテレビ１では、操作部１９の電源スイッチが操作された際に、制御部２２の制御に従って電源部２０が表示部１７の光学エンジンに電源を供給する。この際には、チューナ１５が制御部２２の制御に従い、直前の電源遮断時に選局されていたチャンネルの放送信号を受信して放送信号処理部１６に出力する。これに応じて、放送信号処理部１６が、放送信号に基づく表示用信号および音声信号を表示部１７およびスピーカ１８にそれぞれ出力する。これにより、テレビ映像が表示部１７のスクリーンパネルに表示されると共に、テレビ映像に対応する音声がスピーカ１８から出力される。また、デジタルカメラ３で撮像した画像をテレビ１に表示させる際には、まず、画像データが記憶されているメモリカード２をデジタルカメラ３から取り外して、テレビ１における正面パネルの挿入口からメモリカードスロット１１にメモリカード２を装着する。次いで、操作部１９の表示切替スイッチを操作してメモリカード２内の画像データに基づく画像を表示させる表示画面（図示せず）を表示部１７に表示させる。この際には、画像データ読込み部１３がメモリカードスロット１１に装着されているメモリカード２から画像データを読み込んで画像処理部１４に出力し、画像処理部１４が出力された画像データに対する画像処理を実行して表示用信号を生成して表示部１７に出力する。これにより、メモリカード２に記憶されている画像データに基づく画像（カメラ画像）が表示部１７に表示される。
【００１７】
一方、このテレビ１では、上記のテレビ映像やカメラ画像の表示中において、制御部２２が、操作部１９からの操作信号Ｓ２に基づき、電源スイッチの操作、およびタイマーオフ動作の設定操作のいずれかが行われたか否かを監視する。この際に、電源スイッチが操作されたときには、制御部２２は、図３に示す電源オフ処理３０を開始する。この電源オフ処理３０では、制御部２２は、まず、カード装着検出部１２からの検出信号Ｓ１に基づき、メモリカードスロット１１にメモリカード２が装着されているか否かを判別する（ステップ３１）。この際に、メモリカードスロット１１にメモリカード２が装着されていないときには、制御部２２は、電源部２０を制御してテレビ１の各部への電源の供給を直ちに遮断させ（電源オフ：ステップ３２）、この電源オフ処理３０を終了する。一方、ステップ３１においてメモリカードスロット１１にメモリカード２が装着されていると判別したときには、制御部２２は、図２に示すように「メモリカードが装着されています。抜き忘れに注意してください。カードを抜くか、もう一度電源スイッチを押すとオフします。」とのメッセージＭ１（本発明における「記憶素子が接続されている旨の報知」の一例）を表示部１７に表示させる（ステップ３３）。これにより、メモリカード２がメモリカードスロット１１に装着されたまま電源を遮断しようとしている旨が利用者によって認識される。また、制御部２２は、上記のメッセージＭ１の表示と同時に、タイマー２１を制御して予め規定された規定時間（電源遮断までの待機時間：一例として、３０秒）のカウントを開始させる。
【００１８】
次いで、制御部２２は、規定時間が経過していないと判別し（ステップ３４）、メッセージＭ１の表示後に操作部１９から電源スイッチの操作に対応する操作信号Ｓ２が出力されたか否か（利用者によって電源スイッチが再度操作されたか否か）を判別する（ステップ３５）。この場合、メモリカードスロット１１にメモリカード２が装着された状態であって、利用者が、その旨を承知してテレビ１の電源を遮断する際には、メッセージＭ１の表示後に、メッセージＭ１の内容に従って電源スイッチを再度操作する。この際には、操作部１９から電源スイッチの操作に対応する操作信号Ｓ２が出力され、制御部２２がステップ３５における判別処理時に電源スイッチの操作有りと判別し、表示部１７に対するメッセージＭ１の表示を終了させると共に（ステップ３７）、電源部２０を制御してテレビ１の各部への電源の供給を遮断させ（ステップ３２）、この電源オフ処理３０を終了する。一方、ステップ３５において電源スイッチが操作されていないと判別したときには、制御部２２は、カード装着検出部１２からの検出信号Ｓ１に基づき、メモリカードスロット１１にメモリカード２が装着されているか否かを判別する（ステップ３６）。この際に、表示部１７に表示されたメッセージＭ１を見た利用者がメモリカードスロット１１からメモリカード２を取り外したときには、ステップ３６における判別処理時に制御部２２がメモリカードスロット１１からメモリカード２が取り外されたと判別し、表示部１７に対するメッセージＭ１の表示を終了させると共に（ステップ３７）、電源部２０を制御してテレビ１の各部への電源の供給を遮断させ（ステップ３２）、この電源オフ処理３０を終了する。この結果、表示部１７へのメッセージＭ１の表示も終了する。
【００１９】
また、制御部２２は、ステップ３６において、メモリカードスロット１１にメモリカード２が装着されたままの状態であると判別したときには、ステップ３４に戻って規定時間が経過したか否かを判別する。この際に、規定時間を経過した旨のタイマー信号Ｓ３がタイマー２１から出力されているときは、メッセージＭ１の表示開始から規定時間（この例では、３０秒）が経過したと判別したときには、制御部２２は、電源スイッチの再度の操作が行われず、かつ、メモリカードスロット１１にメモリカード２が装着されたままであったとしても、表示部１７に対するメッセージＭ１の表示を終了させると共に（ステップ３７）、電源部２０を制御してテレビ１の各部への電源の供給を遮断させ（ステップ３２）、この電源オフ処理３０を終了する。また、ステップ３４において規定時間が経過していないと判別したときには、制御部２２は、上記のステップ３５以降の処理を再び実行する。このように、このテレビ１では、電源スイッチがオフ操作された際にメモリカードスロット１１にメモリカード２が装着されていたときに、予め規定された規定時間（待機時間：この例では３０秒）が経過した時点、電源スイッチが再度操作された時点、およびメモリカードスロット１１からメモリカード２が取り外された時点のうちのいずれか早い時点において電源部２０による電源の供給が遮断される。
【００２０】
一方、操作部１９の各操作スイッチが操作されてタイマーオフ動作（スリープタイマーによる電源オフ動作）が設定されたときには、制御部２２は、図５に示すタイマーオフ処理４０を開始する。この場合、このテレビ１では、電源遮断を例えば「３０分後」に設定する際に、操作部１９のメニュースイッチを操作してメニュー画面（図示せず）を表示部１７に表示させ、その状態においてカーソルキーを操作して待機時間候補（電源遮断までの待機時間の候補：一例として、「３０分、６０分、９０、１２０分」の４種類の候補）のうちから所望の待機時間（この例では「３０分」）を選択して実行スイッチを操作する。この例では、上記の実行スイッチの操作が本発明における「タイマーオフ設定用スイッチの操作」に相当し、制御部２２は、この一連のタイマーオフ設定操作のうちの実行スイッチが操作されることによってタイマーオフ処理４０を開始する。なお、本発明における「タイマーオフ設定用スイッチの操作」は上記の例に限定されず、例えば、スリープスイッチ等の「タイマーオフ設定専用のタイマーオフ設定用スイッチ」が存在するときには、このスリープスイッチの操作が「タイマーオフ設定用スイッチの操作」に相当する。
【００２１】
このタイマーオフ処理４０では、制御部２２は、まず、カード装着検出部１２からの検出信号Ｓ１に基づき、メモリカードスロット１１にメモリカード２が装着されているか否かを判別する（ステップ４１）。この際に、メモリカードスロット１１にメモリカード２が装着されていないときには、制御部２２は、タイマー２１を制御して上記のタイマーオフ設定操作によって設定された待機時間（この例では、３０分）のカウントを開始させる（ステップ４２）。一方、ステップ４１においてメモリカードスロット１１にメモリカード２が装着されていると判別したときには、制御部２２は、図４に示すように「メモリカードが装着されています。抜き忘れに注意してください。カードを抜くか、もう一度実行スイッチを押すとスリープタイマーが動作します。」とのメッセージＭ２（本発明における「記憶素子が接続されている旨の報知」の他の一例）を表示部１７に表示させる（ステップ４３）。これにより、メモリカード２がメモリカードスロット１１に装着されたままタイマーオフ動作を設定しようとしている旨が利用者によって認識される。
【００２２】
次いで、制御部２２は、メッセージＭ２の表示後に操作部１９から実行スイッチの操作に対応する操作信号Ｓ２が出力されたか否か（利用者によって実行スイッチが再度操作されたか否か）を判別する（ステップ４４）。この場合、メモリカードスロット１１にメモリカード２が装着された状態であって、利用者がその旨を承知してタイマーオフ動作を設定する際には、メッセージＭ２の表示後に、メッセージＭ２の内容に従って実行スイッチを再度操作する。この際には、操作部１９から実行スイッチの操作に対応する操作信号Ｓ２が出力され、制御部２２が、ステップ４４における判別処理時に実行スイッチの操作有りと判別し、ステップ４６に進んで表示部１７に対するメッセージＭ２の表示を終了させると共に、タイマー２１を制御して上記のタイマーオフ設定操作によって設定された待機時間のカウントを開始させる（ステップ４２）。一方、ステップ４４において実行スイッチが操作されていないと判別したときには、制御部２２は、カード装着検出部１２からの検出信号Ｓ１に基づき、メモリカードスロット１１にメモリカード２が装着されているか否かを判別する（ステップ４５）。この際に、表示部１７に表示されたメッセージＭ２を見た利用者がメモリカードスロット１１からメモリカード２を取り外したときには、ステップ４５における判別処理時に制御部２２がメモリカードスロット１１からメモリカード２が取り外されたと判別し、表示部１７に対するメッセージＭ２の表示を終了すると共に（ステップ４６）、タイマー２１を制御して設定された待機時間のカウントを開始させる（ステップ４２）。
【００２３】
また、制御部２２は、ステップ４５において、メモリカードスロット１１にメモリカード２が装着されたままの状態と判別したときには、ステップ４４に戻って実行スイッチが操作されたか否かを判別する。この際に、実行スイッチが操作されていないと判別したときには、制御部２２は、ステップ４５に進んでメモリカード２が取り外されたか否かを判別する。このように、このテレビ１では、タイマーオフ動作が設定された際に（タイマーオフ設定操作において実行スイッチが操作された際に）メモリカードスロット１１にメモリカード２が装着されていたときに、実行スイッチが再度操作された時点、およびメモリカードスロット１１からメモリカード２が取り外された時点のいずれか早い時点においてタイマー２１による待機時間のカウントが開始される。なお、メモリカード２の取り外し、および実行スイッチの操作のいずれも実行されないときであっても、予め規定された待機時間（一例として、３０秒程度）が経過した時点でタイマー２１による待機時間のカウントを開始させる構成を採用することもできる。
【００２４】
一方、このタイマーオフ処理４０では、ステップ４１においてメモリカード２が装着されていないと判別したとき、ステップ４４において実行スイッチが再度操作されたと判別したとき、およびステップ４５においてメモリカード２が取り外されたと判別したときのいずれかにおいて、前述したように、タイマー２１による待機時間のカウントが開始される（ステップ４２）。また、制御部２２は、設定された時間が経過した旨のタイマー信号Ｓ３がタイマー２１から出力されたか否かに基づき、待機時間（この例では、３０分）が経過したか否かを判別し（ステップ４７）、待機時間が経過したと判別したとき（タイマー２１からタイマー信号Ｓ３が出力されたとき）に、メモリカード２の装着の有無を問わずに電源部２０を制御してテレビ１の各部への電源の供給を遮断させて（ステップ４８）、このタイマーオフ処理４０を終了する。さらに、制御部２２は、待機時間が経過したか否かの監視と並行して、メモリカードスロット１１にメモリカード２が新規に装着されたか否かを監視する（ステップ４９）。具体的には、上記のステップ４１においてメモリカード２が装着されていないと判別されたときと、メッセージＭ２の表示後にメモリカード２が取り外されてステップ４５においてメモリカード２が装着されていないと判別されたときとのいずれかであって、ステップ４２におけるカウント開始後にメモリカード２がメモリカードスロット１１に装着されたときには、制御部２２は、ステップ４９においてメモリカードスロット１１にメモリカード２が新規に装着されたと判別してタイマーオフ動作を解除し（タイマー２１によるカウントを停止させ：ステップ５０）、このタイマーオフ処理４０を終了する。この際に、制御部２２は、一例として「タイマーオフが解除されました。」とのメッセージ（図示せず）を表示部１７に表示させる。
【００２５】
このように、このテレビ１によれば、電源オフ操作時（電源スイッチの操作時、およびタイマーオフ動作の設定操作時）にカード装着検出部１２によってメモリカード２の接続が検出されたときに、制御部２２がメモリカードが接続されている旨を報知するメッセージＭ１，Ｍ２を表示部１７に表示させると共に所定の手順に従って電源を遮断させることにより、メモリカードスロット１１にメモリカード２を装着したままであることを忘れた利用者が電源を遮断（または、タイマーオフ動作の設定）しようとしたとしても、表示部１７に表示させたメッセージＭ１，Ｍ２によってメモリカード２が装着されたままである旨を確実に認識させることができる。これにより、利用者がメモリカード２をメモリカードスロット１１から取り外してデジタルカメラ３に装着することができるため、メモリカード２が非装着のデジタルカメラ３を携帯することで撮影をできないという事態を回避することが可能となる。また、このテレビ１によれば、電源スイッチ、およびタイマーオフ動作設定スイッチ（この例では、実行スイッチ）のいずれかが操作されたときに制御部２２が電源オフ操作が行われたと判別する構成を採用したことにより、メモリカード２がメモリカードスロット１１に装着されたまま電源が遮断される事態を確実に回避することができる。
【００２６】
さらに、このテレビ１によれば、メモリカードが接続されている旨のメッセージＭ１，Ｍ２を表示部１７に表示させた後に、メモリカードスロット１１からのメモリカード２の取り外し、再度の電源オフ操作、および規定時間の経過のいずれかが満たされたときに所定の手順に従って電源を遮断するように構成したことにより、メモリカード２の取り外しによって直ちに電源を遮断させる（または、タイマーオフ動作を開始させる）ことができると共に、メッセージＭ１，Ｍ２の表示後にメモリカード２が取り外されなかった場合であっても、利用者がメモリカードスロット１１にメモリカード２を装着したままでの電源遮断を所望しているにも拘わらず電源を遮断することができないという不都合や、利用者によって電源スイッチがオフ操作されたにも拘わらずメモリカード２が取り外されないために電源が遮断されずに供給され続けるという不都合が生じるのを回避することができる。また、このテレビ１によれば、メモリカードが接続されている旨のメッセージＭ１，Ｍ２を表示部１７に表示させた後にカード装着検出部１２によってメモリカード２の取り外しが検出されたときに、メッセージＭ２の表示を終了（または、電源を遮断）するように構成したことにより、メモリカードスロット１１からメモリカード２を取り外したにも拘わらずメッセージＭ１，Ｍ２等の表示（報知）が継続される構成と比較して、例えばタイマーオフ動作時において、待機時間が経過するまで表示部１７に表示されるテレビ映像にメッセージＭ１，Ｍ２等が重なって視聴の妨げになるという事態を回避することができる。
【００２７】
なお、本発明は、上記の構成に限定されない。例えば、リアプロジェクション型のテレビについて上記したが、本発明におけるテレビはこれに限定されず、液晶表示器、プラズマ表示器および有機ＥＬ表示器等の各種表示器を備えたテレビに本発明を適用することができる。この場合、本発明におけるテレビは、表示器とチューナとが一体的に構成されたテレビに限定されず、表示器とチューナとが別体に構成された各種テレビがこれに含まれる。また、ＤＶＤレコーダやＨＤＤレコーダなどのメモリカードスロット１１を備えた各種録画機器に本発明を適用することもできる。さらに、上記のテレビ１では、メッセージＭ１，Ｍ２等の文字列を表示部１７に表示させることでメモリカード２が装着されている旨を報知するように構成されているが、本発明はこれに限定されず、音声による報知、警告音による報知、およびインジケータの点灯（点滅）による報知などの各種報知方法によってメモリカード２が装着されている旨を報知するように構成することができる。
【図面の簡単な説明】
【００２８】
【図１】テレビ１の構成を示す構成図である。
【図２】メッセージＭ１が表示された状態の表示部１７の表示画面図である。
【図３】電源オフ処理３０のフローチャートである。
【図４】メッセージＭ２が表示された状態の表示部１７の表示画面図である。
【図５】タイマーオフ処理４０のフローチャートである。
【符号の説明】
【００２９】
１  テレビ、２  メモリカード、１１  メモリカードスロット、１２  カード装着検出部、１７  表示部、１９  操作部、２０  電源部、２２  制御部、３０  電源オフ処理、４０  タイマーオフ処理、Ｍ１，Ｍ２  メッセージ、Ｓ１  検出信号、Ｓ２  操作信号、Ｓ３  タイマー信号
【図１】
2006295427.tif 000003
【図２】
2006295427.tif 000004
【図３】
2006295427.tif 000005
【図４】
2006295427.tif 000006
【図５】
2006295427.tif 000007